(57)【要約】  洗濯機（１）及び洗濯機の回転槽（２００）は、筐体（１００）と、筐体（１００）内に回転可能に設けられる回転槽（２００）と、を備え、回転槽（２００）は、槽本体（２１０）と、槽本体（２１０）の周壁内に設けられて槽本体（２１０）から振り飛ばされた液体を槽本体（２１０）外へ排出する排水通路（２２１）と、を備える。当該洗濯機はさらに、槽本体（２１０）内に回転可能に設けられるパルセータ（３００）を備える。【選択図】図２
2020518413.tif 000002
【特許請求の範囲】
【請求項１】
筐体と、
前記筐体内に回転可能に設けられ、槽本体と、前記槽本体の周壁内に設けられて前記槽本体から振り飛ばされた液体を槽本体外へ排出する排水通路と、を備える回転槽と、
前記槽本体内に回転可能に設けられるパルセータと、を備える、
ことを特徴とする洗濯機。
【請求項２】
前記排水通路は、前記槽本体の内周壁に設けられる、
ことを特徴とする請求項１に記載の洗濯機。
【請求項３】
前記槽本体の上端に設けられ、且つ前記槽本体の上端に連結されるバランスリングをさらに備える、
ことを特徴とする請求項１に記載の洗濯機。
【請求項４】
前記槽本体の上端と前記バランスリングとはシール接続される、
ことを特徴とする請求項３に記載の洗濯機。
【請求項５】
前記排水通路は、複数であり、且つ前記槽本体の内周面に沿って間隔を空けて設けられ、前記槽本体から振り飛ばされた液体が前記排水通路を介して排出される、
ことを特徴とする請求項２に記載の洗濯機。
【請求項６】
前記筐体内に設置される水受けトレイをさらに備え、
前記水受けトレイの少なくとも一部が前記回転槽の下方に設けられ、前記槽本体から振り飛ばされた液体が前記排水通路を介して前記水受けトレイまでガイドされる、
ことを特徴とする請求項１に記載の洗濯機。
【請求項７】
前記水受けトレイに取り付けられ、前記回転槽及び前記パルセータのうちの少なくとも１方を駆動して回転させるための駆動ユニットをさらに備える、
ことを特徴とする請求項６に記載の洗濯機。
【請求項８】
前記筐体内に設けられ、且つ前記水受けトレイを支持する支持衝撃吸収アセンブリをさらに備える、
ことを特徴とする請求項６に記載の洗濯機。
【請求項９】
槽本体と、
前記槽本体の周壁内に設けられ、前記槽本体から振り飛ばされた液体を槽本体外へ排出する排水通路と、を備える、
ことを特徴とする洗濯機用の回転槽。
【請求項１０】
筐体と、
前記筐体内に回転可能に設けられ、槽本体と、前記槽本体の周壁内に設けられて前記槽本体から振り飛ばされた液体を槽本体外へ排出する排水通路と、を備える回転槽と、
前記槽本体内に回転可能に設けられるパルセータと、
前記槽本体の上端に設けられ、前記槽本体の上端にシール接続されるバランスリングと、
前記筐体内に設置され、且つ少なくとも一部が前記回転槽の下方に設けられ、前記槽本体から振り飛ばされた液体が前記排水通路を介してガイドされる水受けトレイと、
前記水受けトレイに取り付けられ、前記回転槽及び前記パルセータのうちの少なくとも１方を駆動して回転させるための駆動ユニットと、
前記筐体内に設けられ、且つ前記水受けトレイを支持する支持衝撃吸収アセンブリと、を備える、
ことを特徴とする洗濯機。
【発明の詳細な説明】
【技術分野】
【０００１】
本発明は、電気器具製造の技術分野に関し、具体的には、洗濯機及び洗濯機の回転槽に関する。
【背景技術】
【０００２】
洗濯機技術の連続的な発展に伴い、洗濯機は、ますます大容量化へ発展しているが、洗濯機の大容量化の結果として洗濯機全体のサイズの増大を招くため、小体積・大容量の洗濯機を提供することが求められている。また、従来の洗濯機では、洗濯時に水が回転槽と貯水槽内に分散し、即ち、貯水槽と回転槽の間にも水があり、水の使用量が大きく、水資源の無駄をもたらしている。従来の洗濯機では、汚れが貯水槽と回転槽の間に残されて、細菌繁殖を引き起こすとともに、貯水槽と回転槽の間に水があるため、洗剤の使用量が多くなり、洗剤の無駄をもたらし、コストダウンに不利となる。
【発明の概要】
【発明が解決しようとする課題】
【０００３】
本発明は、従来技術に存在する技術的問題の少なくとも１つを解決することを目的とする。このため、本発明は、容量が大きく、水を節約して環境にやさしく、二次汚染を引き起こしにくいなどの利点を有する洗濯機を提案する。
【０００４】
本発明は、洗濯機の回転槽をさらに提案する。
【課題を解決するための手段】
【０００５】
上記目的を達成させるために、本発明の第１態様による実施例は、洗濯機を提案し、前記洗濯機は、筐体と、前記筐体内に回転可能に設けられ、槽本体と、前記槽本体の周壁内に設けられて前記槽本体で遠心分離された液体を槽本体外へ排出する排水通路と、を備える回転槽と、前記槽本体内に回転可能に設けられるパルセータと、を備える。
【０００６】
本発明の実施例による洗濯機は、容量が大きく、水を節約して環境にやさしく、二次汚染を引き起こしにくいなどの利点を有する。
【０００７】
また、本発明の上記実施例による洗濯機は、下記付加的な技術的特徴を有する。
【０００８】
本発明の一実施例によれば、前記排水通路は、前記槽本体の内周壁に設けられる。それによって、前記排水通路を利用して前記回転槽から振り飛ばされた水を排出することができ、前記回転槽から振り飛ばされた水が周辺へ飛散して前記筐体内のほかの領域に入ることを防止し、前記洗濯機の信頼性を確保する。
【０００９】
好ましくは、前記洗濯機は、前記槽本体の上端に設けられ、且つ前記槽本体の上端に連結されるバランスリングをさらに備える。それによって、前記回転槽が回転するときに前記バランスリングによって前記回転槽のバランスを保持し、且つ前記排水通路を介して前記回転槽内の水を排出することができる。
【００１０】
本発明の別の実施例によれば、前記槽本体の上端と前記バランスリングとはシール接続される。それによって、前記回転槽内から振り飛ばされた水が周辺へ飛散して前記筐体内のほかの領域に入ることをさらに回避でき、且つ前記回転槽の排水時の排水効率を向上できる。
【００１１】
本発明のさらなる実施例によれば、前記排水通路は、複数であり、且つ前記槽本体の内周面に沿って間隔を空けて設けられ、前記槽本体から振り飛ばされた液体が前記排水通路を介して排出される。それによって、前記槽本体から振り飛ばされた液体が、複数の前記排水通路から均等に排出され、前記回転槽の排水性能向上に寄与する。
【００１２】
好ましくは、前記洗濯機は、前記筐体内に設置される水受けトレイをさらに備え、前記水受けトレイの少なくとも一部が前記回転槽の下方に設けられ、前記槽本体から振り飛ばされた液体が前記排水通路を介して前記水受けトレイまでガイドされる。それによって、水を容易に収集してガイドするように、前記水受けトレイを用いて前記回転槽から振り飛ばされた水を収集できるだけでなく、前記水受けトレイは、前記洗濯機のほかの構造を支持できる。
【００１３】
さらに、前記洗濯機は、前記水受けトレイに取り付けられ、前記回転槽及び前記パルセータのうちの少なくとも１方を駆動して回転させるための駆動ユニットをさらに備える。それによって、前記駆動ユニットを用いて前記回転槽及び前記パルセータのうちの少なくとも１方を回動駆動することで、前記回転槽及び前記パルセータの回動信頼性を確保できる。
【００１４】
好ましくは、前記洗濯機は、前記筐体内に設けられ、且つ前記水受けトレイを支持する支持衝撃吸収アセンブリをさらに備える。それによって、前記回転槽の回転時の水平方向における変位を減少させて、振動により前記回転槽と前記筐体が衝突することを防止し、前記回転槽の回転時の安定性を向上させて、衝突によるノイズを低減させる。
【００１５】
本発明の第２態様による実施例は、洗濯機の回転槽を提案する。
【００１６】
前記洗濯機の回転槽は、槽本体と、前記槽本体の周壁内に設けられ、前記槽本体で遠心分離された液体を槽本体外へ排出する排水通路と、を備える。
【００１７】
本発明の実施例による洗濯機の回転槽は、容量が大きく、水を節約して環境にやさしく、二次汚染を引き起こしにくいなどの利点を有する。
【発明の効果】
【００１８】
本発明の付加的な態様及び利点については、以下の説明においてその一部が記載されるが、その一部は、下記の説明より明らかなになるか、又は本発明を実施することにより把握できる。
【図面の簡単な説明】
【００１９】
本発明の上記及び／又は付加的な態様及び利点は、下記図面を参照しながら実施例を説明することにより明らかになり、容易に理解できるようになり、
【図１】本発明の実施例による洗濯機の構造模式図である。
【図２】本発明の実施例による洗濯機の断面図である。
【発明を実施するための形態】
【００２０】
以下、本発明の実施例を詳細に説明し、前記実施例の例は、図面に示され、同じ又は類似した符号は、一貫して同じ又は類似した素子、又は、同じ又は類似した機能を有する素子を示す。以下、図面を参照しながら説明する実施例は、例示的なものであり、本発明を解釈するために過ぎず、本発明を制限するものとして理解してはならない。
【００２１】
以下、図面を参照しながら本発明の実施例による洗濯機１を説明する。
【００２２】
図１−図２に示すように、本発明の実施例による洗濯機１は、筐体１００、回転槽２００及びパルセータ３００を備える。
【００２３】
回転槽２００は、筐体１００内に回転可能に設けられ、且つ槽本体２１０及び排水通路２２１を備える。排水通路２２１は、槽本体２１０の周壁内に設けられ、槽本体２１０から振り飛ばされた液体が排水通路２２１を介して槽本体２１０外へ排出される。パルセータ３００は、槽本体２１０内に回転可能に設けられる。
【００２４】
ここで、なお、「振り飛ばす」とは、回転槽２００が回転するときに遠心力により排出されることを意味し、槽本体の上端から振り飛ばすことに限らない。
【００２５】
本発明の実施例による洗濯機１は、１槽式構造を採用し、即ち、貯水槽を設置せずに回転槽２００だけを設置することによって、洗濯時に、水が回転槽２００だけを満たせばよく、貯水槽を満たす必要がなくなり、このようにして、貯水機能を果たすとともに、２槽式構造を用いた関連技術におけるパルセータ洗濯機よりも節水する。
【００２６】
さらに、洗濯水が回転槽２００の内部だけを流れるため、２槽式構造を用いた関連技術におけるパルセータ洗濯機の内槽と外槽との間に汚れが残されやすいという問題を回避でき、残された汚れにより衣類が再び汚されることを防止するとともに、長期間にわたって汚れが内外槽の間に残されて除去しにくくなり、その結果として細菌が繁殖することを防止できる。
【００２７】
そのほか、洗濯機１は、１槽式構造とすることにより、回転槽２００と筐体１００との間のスペースが増大し、それによって、回転槽２００をより大きくすることができ、回転槽２００の洗濯容量を大きくし、さらに洗濯機１の洗濯効率を向上させることが容易になる。
【００２８】
さらに、洗濯機１は、１槽式構造とすることにより、貯水槽の構造を設置することが不要になり、関連技術における洗濯機に比べて、貯水槽のデザイン、製造及び取り付けを省略し、洗濯機１のデザイン及び製造のし難さを低下させ、洗濯機１のコストを低下させ、洗濯機１の生産効率を向上させるのに寄与する。
【００２９】
具体的には、排水管通路２２１を設置することによって、槽本体２１０の外側に排水構造を設置しなくてもよく、回転槽２００の径方向の寸法を減少させ、使用ニーズを満たすとともに洗濯機１の径方向の寸法を減少させ、それにより、洗濯機１の占めるスペースを減少させ、洗濯機１の外観性を向上させる。
【００３０】
つまり、洗濯機１では、貯水槽を省略することによって、構造を簡素化させて、容量を向上させ、汚れや細菌繁殖を減少させ、水を節約する上、従来の貯水槽の機能を果たし、脱水効果を奏する。
【００３１】
このため、本発明の実施例による洗濯機１は、容量が大きく、水を節約して環境にやさしく、二次汚染を引き起こしにくいなどの利点を有する。
【００３２】
以下、図面を参照しながら、本発明の特定の実施例による洗濯機１を説明する。
【００３３】
本発明のいくつかの特定の実施例において、図１−図２に示すように、本発明の実施例による洗濯機１は、筐体１００、回転槽２００及びパルセータ３００を備える。
【００３４】
具体的には、図２に示すように、排水通路２２１は、槽本体２１０の周壁内に設けられる。槽本体２１０から振り飛ばされた液体が排水通路２２１を介して槽本体２１０外へ排出される。それによって、排水通路２２１を利用して回転槽２００から振り飛ばされた水を排出することができ、回転槽２００内から振り飛ばされた水が周辺へ飛散して筐体１００内のほかの領域に入ることを防止し、洗濯機１の信頼性を確保する。
【００３５】
好ましくは、図１−図２に示すように、洗濯機１は、バランスリング４００をさらに備え、バランスリング４００は、槽本体２１０の上端に設けられ、且つ槽本体２１０の上端に連結される。それによって、回転槽２００が回転するときにバランスリング４００によって回転槽２００のバランスを保持し、それによって、洗濯機１の振動を減少させて、回転槽２００の作動時の過度の揺れを防止し、且つ、排水通路２２１を介して回転槽２００内の水を振り飛ばすことで、回転槽２００の排水を実現できる。
【００３６】
図１−図２には、本発明による洗濯機１が示されている。槽本体２１０の上端とバランスリング４００とはシール接続される。それによって、回転槽２００内から振り飛ばされた水が周辺へ飛散して筐体１００内のほかの領域に入ることをさらに回避でき、且つ回転槽２００の排水時の排水効率を向上させる。
【００３７】
具体的には、排水通路２２１は、複数であり、且つ槽本体２１０の内周面に沿って間隔を空けて設けられ、槽本体２１０から振り飛ばされた液体が排水通路２２１を介して槽本体２１０外へ排出される。それによって、槽本体２１０から振り飛ばされた液体が、複数の排水通路２２１から均一に排出され、回転槽２００の排水性能向上に寄与する。
【００３８】
図１−図２には、本発明による洗濯機１が示されている。図１−２に示すように、槽本体２１０は、内径が均一な円筒体である。ここで、なお、内径が均一であるとは、軸方向において内径がほぼ同じであることを意味するが、槽本体２１０には凹凸構造が設置されることがある。それによって、回転槽２００が正常に洗濯するときに、回転槽２００内の水のこぼれを防止し、回転槽２００が排水するときに、水流が遠心力の作用により容易に上昇し、それにより回転槽２００内の水をすべて排出できる。
【００３９】
具体的には、図１に示すように、洗濯機１は、水受けトレイ５００をさらに備え、水受けトレイ５００は、筐体１００内に設けられ、且つその少なくとも一部が回転槽２００の下方に設けられ、排水通路２２１を介して、槽本体２１０から振り飛ばされた液体が水受けトレイ５００までガイドされる。具体的には、水受けトレイ５００は、回転槽２００を支持し、ここで直接支持してもよく、間接的に支持してもよい。それによって、水を容易に収集してガイドするように、水受けトレイ５００を用いて回転槽２００から振り飛ばされた水を収集できるだけでなく、水受けトレイ５００は、洗濯機１のほかの構造を支持できる。
【００４０】
より具体的には、図１に示すように、洗濯機１は、駆動ユニット６００をさらに備え、駆動ユニット６００は、回転槽２００及びパルセータ３００のうちの少なくとも１方を駆動して回転させることに用いられ、水受けトレイ５００に取り付けられる。それによって、駆動ユニット６００を用いて回転槽２００及びパルセータ３００のうちの少なくとも１方を回動駆動することで、回転槽２００及びパルセータ３００の回動信頼性を確保できる。
【００４１】
好ましくは、図１に示すように、洗濯機１は、支持衝撃吸収アセンブリ７００をさらに備え、支持衝撃吸収アセンブリ７００は、筐体１００内に設けられ、且つ水受けトレイ５００は、支持衝撃吸収アセンブリ７００に支持される。それによって、回転槽２００の回転時の水平方向における変位を減少させて、振動により回転槽２００と筐体１００が衝突することを防止し、回転槽２００の回転時の安定性を向上させて、衝突によるノイズを低減させる。
【００４２】
以下、本発明の実施例による洗濯機の回転槽２００を説明する。本発明の実施例による洗濯機の回転槽２００は、槽本体２１０と、槽本体２００の周壁内に設けられ、槽本体２１０から振り飛ばされた液体を槽本体２１０外へ排出する排水通路２２１とを、備える。
【００４３】
本発明の実施例による洗濯機の回転槽は、容量が大きく、水を節約して環境にやさしく、二次汚染を引き起こしにくいなどの利点を有する。
【００４４】
本発明の実施例による洗濯機１のほかの構成及び操作については、当業者にとって公知のことであるため、ここで詳しく説明しない。
【００４５】
本発明の説明において、用語「中心」、「縦方向」、「横方向」、「長さ」、「幅」、「厚さ」、「上」、「下」、「前」、「後」、「左」、「右」、「垂直」、「水平」、「頂」、「底」、「内」、「外」、「時計回り」、「反時計回り」、「軸方向」、「径方向」、「周方向」などにより示される方位又は位置関係は、図面に示した方位又は位置関係に基づくものであり、本発明を容易に説明しかつ説明を簡素化させるために過ぎず、示される装置又は素子が必ずしも特定の方位を有したり、特定の方位で構成及び操作されたりすることを指示又は示唆するものではなく、このため、本発明を制限するものではないことが理解できる。そのほか、「第１」、「第２」により制限される特徴は、１つ以上のこの特徴を明確又は暗黙的に含む。特に断らない限り、本発明の説明において、「複数」は、２つ以上を意味する。
【００４６】
本発明の説明において、なお、別に明確な規定や限定がない限り、用語「取り付け」、「連結」、「接続」は、広義で理解すべきであり、たとえば、固定して接続されてもよく、取り外し可能に接続されてもよく、一体に接続されてもよいし、機械的に接続されてもよく、電気的に接続されてもよいし、直接連結されてもよく、中間媒体を介して間接的に連結されてもよく、２つの素子の内部が連通してもよい。当業者であれば、具体的な状況に応じて上記用語の本発明における定義を理解できる。
【００４７】
本明細書の説明において、用語「一実施例」、「いくつかの実施例」、「例示的な実施例」、「例」、「具体例」、又は「いくつかの例」などを参照して説明するとは、この実施例又は例を参照して説明する具体的な特徴、構造、材料又は特点が本発明の少なくとも１つの実施例又は例に含まれることを意味する。本明細書では、上記用語の例示的な説明は、同じ実施例又は例に対するとは限らない。さらに、説明する具体的な特徴、構造、材料又は特長は、いずれか１つ以上の実施例又は例において適切な方式で組み合わせることができる。
【００４８】
本発明の実施例を例示的に説明したが、当業者であれば、本発明の原理及び主旨から逸脱せずにこれら実施例に対して様々な変化、修正、置換及び変換を行うことができ、本発明の範囲は、特許請求の範囲及びその均等物により限定されることを理解できる。
【符号の説明】
【００４９】
洗濯機１、筐体１００、回転槽２００、槽本体２１０、排水通路２２１、パルセータ３００、バランスリング４００、水受けトレイ５００、駆動ユニット６００、支持衝撃吸収アセンブリ７００。
【図１】
2020518413.tif 000003
【図２】
2020518413.tif 000004
【国際調査報告】
2020518413.tif 000005
2020518413.tif 000006
2020518413.tif 000007
2020518413.tif 000008
2020518413.tif 000009
2020518413.tif 000010